(57)【要約】無線送受信機は第１集積回路と第２集積回路を有する。第１集積回路は、無線プロトコルのプロトコル層を実行する指示命令を記憶するメモリモジュールと；指示命令を実行する処理モジュールと；第１インターフェイスモジュールとを有する。第２集積回路は、第１インターフェイスモジュールに双方向でデータ接続する第２インターフェイスモジュールと；第１ベースバンド信号を変調することで送信ＲＦ信号を作成し、また受信ＲＦ信号を復調することで第２ベースバンド信号を作成するＲＦ送受信機と；第１インターフェイスモジュールから第２インターフェイスモジュール経由で受信したデータに基づき第１ベースバンド信号を生成し、また第２ベースバンド信号に基づきデータを生成してこの生成したデータを第２インターフェイスモジュール経由で第１インターフェイスモジュールに送信するベースバンドモジュールとを有する。
2010523020.tif 000002
【特許請求の範囲】
【請求項１】
第１集積回路と第２集積回路を有するブルートゥース送受信機であって、
前記第１集積回路は、
ブルートゥースプロトコルの複数のプロトコル層を実行するための複数の指示命令を記憶するメモリモジュールと；
複数の指示命令を実行する処理モジュールと；
第１インターフェイスモジュールと
を備え、
前記第２集積回路は、
前記第１インターフェイスモジュールに双方向でデータ接続する第２インターフェイスモジュールと；
第１ベースバンド信号を変調することによって送信ＲＦ信号を生成し、また受信ＲＦ信号を復調することによって第２ベースバンド信号を作成するＲＦ送受信機と；
前記第１インターフェイスモジュールから前記第２インターフェイスモジュール経由で受信したデータに基づき前記第１ベースバンド信号を生成し、また前記第２ベースバンド信号に基づきデータを生成してこの生成したデータを前記第２インターフェイスモジュール経由で前記第１インターフェイスモジュールに送信するベースバンドモジュールと
を有することを特徴とする、ブルートゥース送受信機。
【請求項２】
前記第１インターフェイスモジュールはマスタモードで動作し、
前記第２インターフェイスモジュールは、前記第１インターフェイスモジュールに対してスレーブとして動作する、請求項１記載のブルートゥース送受信機。
【請求項３】
複数の前記プロトコル層は、前記ブルートゥースプロトコルの複数の上位スタック層と複数の下位スタック層を有する、請求項１記載のブルートゥース送受信機。
【請求項４】
前記第１集積回路は更に、前記第１集積回路と前記第２集積回路の間の前記データの通信を制御するダイレクトメモリアクセスモジュールを有する、請求項１記載のブルートゥース送受信機。
【請求項５】
前記第１インターフェイスモジュールと前記第２インターフェイスモジュールは、シリアル通信パス経由で前記データを通信し、
前記第１インターフェイスモジュールと前記第２インターフェイスモジュールのうちの少なくとも１つは、汎用同期式送受信回路を有する、請求項１記載のブルートゥース送受信機。
【請求項６】
前記第１集積回路は更に、クロック信号を作成する発振器モジュールを有し、
前記第１インターフェイスモジュールは、前記クロック信号を前記第２インターフェイスモジュールに接続し、
前記ベースバンドモジュールと前記ＲＦ送受信機は、前記クロック信号に基づき動作する、請求項１記載のブルートゥース送受信機。
【請求項７】
前記第１集積回路は、供給電圧を作成するＤＣ−ＤＣコンバータを有し、
前記第１インターフェイスモジュールは、前記供給電圧を前記第２インターフェイスモジュールに接続し、
前記ベースバンドモジュールと前記ＲＦ送受信機は、前記供給電圧に基づき動作する、請求項１記載のブルートゥース送受信機。
【請求項８】
前記第２集積回路は、前記供給電圧に基づき少なくとも１つの追加供給電圧を生成する、請求項７記載のブルートゥース送受信機。
【請求項９】
前記ＲＦ送受信機と前記ベースバンドモジュールの少なくとも１部は、ステートマシンを使用して実行される、請求項１記載のブルートゥース送受信機。
【請求項１０】
前記メモリモジュールは、ランダムアクセスメモリを有する、請求項１記載のブルートゥース送受信機。
【請求項１１】
前記第１集積回路は更に、オフチップメモリ機器に接続するためのメモリインターフェイスを有する、請求項１記載のブルートゥース送受信機。
【請求項１２】
前記第２集積回路は更に、クロック信号を作成する発振器モジュールを有し、
前記第２インターフェイスモジュールは、前記クロック信号を前記第１インターフェイスモジュールに接続し、
前記処理モジュールは、前記クロック信号に基づき動作する、請求項１記載のブルートゥース送受信機。
【請求項１３】
第１集積回路と第２集積回路を有する無線送受信機であって、
前記第１集積回路は、
無線プロトコルの複数のプロトコル層を実行するための複数の指示命令を記憶するメモリモジュールと；
複数の指示命令を実行する処理モジュールと；
第１インターフェイスモジュールと
を備え、
前記第２集積回路は、
前記第１インターフェイスモジュールに双方向にデータ接続する第２インターフェイスモジュールと；
第１ベースバンド信号を変調することによって送信ＲＦ信号を作成し、また受信ＲＦ信号を復調することによって第２ベースバンド信号を作成するＲＦ送受信機と；
前記第１インターフェイスモジュールから前記第２インターフェイスモジュール経由で受信したデータに基づき前記第１ベースバンド信号を生成し、また前記第２ベースバンド信号に基づきデータを生成してこの生成したデータを前記第２インターフェイスモジュール経由で前記第１インターフェイスモジュールに送信するベースバンドモジュールと
を有することを特徴とする、無線送受信機。
【請求項１４】
前記無線プロトコルは、ブルートゥースプロトコルを有する、請求項１３記載の無線送受信機。
【請求項１５】
複数の前記プロトコル層は、ブルートゥースプロトコルの複数の上位スタック層と複数の下位スタック層を有する、請求項１３記載の無線送受信機。
【請求項１６】
前記第１集積回路は更に、前記第１集積回路と前記第２集積回路の間の前記データの通信を制御するダイレクトメモリアクセスモジュールを有する、請求項１３記載の無線送受信機。
【請求項１７】
前記第１インターフェイスモジュールと前記第２インターフェイスモジュールは、シリアル通信パス経由で前記データを通信し、
前記第１インターフェイスモジュールと前記第２インターフェイスモジュールのうちの少なくとも１つは、汎用同期式送受信回路を有する、請求項１３記載の無線送受信機。
【請求項１８】
前記第１集積回路は更に、クロック信号を作成する発振器モジュールを有し、
前記第１インターフェイスは、前記クロック信号を前記第２インターフェイスモジュールに接続し、
前記ベースバンドモジュールと前記ＲＦ送受信機は、前記クロック信号に基づき動作する、請求項１３記載の無線送受信機。
【請求項１９】
前記第１集積回路は、供給電圧を作成するＤＣ−ＤＣコンバータを有し、
前記第１インターフェイスモジュールは、前記供給電圧を前記第２インターフェイスモジュールに接続し、
前記ベースバンドモジュールと前記ＲＦ送受信機は、前記供給電圧に基づき動作する、請求項１３記載の無線送受信機。
【請求項２０】
前記第２集積回路は、前記供給電圧に基づき少なくとも１つの追加供給電圧を生成する、請求項１９記載の無線送受信機。
【請求項２１】
前記ＲＦ送受信機と前記ベースバンドモジュールの少なくとも１部は、ステートマシンを使用して実行される、請求項１３記載の無線送受信機。
【請求項２２】
前記メモリモジュールは、ランダムアクセスメモリを有する、請求項１３記載の無線送受信機。
【請求項２３】
前記第１集積回路は更に、オフチップメモリ機器に接続するためのメモリインターフェイスを有する、請求項１３記載の無線送受信機。
【請求項２４】
前記第１インターフェイスモジュールはマスタモードで動作し、
前記第２インターフェイスモジュールは、前記第１インターフェイスモジュールに対してスレーブとして動作する、請求項１３記載の無線送受信機。
【請求項２５】
前記第２集積回路は更に、クロック信号を作成する発振器モジュールを有し、
前記第２インターフェイスモジュールは、前記クロック信号を前記第１インターフェイスモジュールに接続し、
前記処理モジュールは、前記クロック信号に基づき動作する、請求項１３記載の無線送受信機。
【請求項２６】
無線送受信機の使用方法であって、前記使用方法は、
第１集積回路を提供する第１集積回路提供ステップと；
前記第１集積回路を前記第２集積回路に接続する集積回路接続ステップと
を備え、
前記第１集積回路は、ブルートゥースプロトコルのプロトコル層を実行するための複数の指示命令を記憶するメモリモジュールと、複数の指示命令を実行する処理モジュールとを有し、前記第１集積回路と前記第２集積回路の間は双方向にデータ通信し、
前記第２集積回路はＲＦ送受信機とベースバンドモジュールを有し、前記ＲＦ送受信機は、送信ＲＦ信号を作成すべく第１ベースバンド信号を変調し、また受信ＲＦ信号を復調することによって第２ベースバンド信号を作成し、前記ベースバンドモジュールは、前記第１集積回路から受信したデータに基づき第１ベースバンド信号を生成し、また前記第２ベースバンド信号に基づきデータを生成してこの生成したデータを前記第１集積回路に送信することを特徴とする、無線送受信機の使用方法。
【請求項２７】
複数の前記プロトコル層は、前記ブルートゥースプロトコルの複数の上位スタック層と複数の下位スタック層を有する、請求項２６記載の使用方法。
【請求項２８】
前記集積回路接続ステップは、前記第１集積回路と前記第２集積回路の間の前記データの通信を、ダイレクトメモリアクセス経由で制御することを含む、請求項２６記載の使用方法。
【請求項２９】
前記集積回路接続ステップは、シリアル通信パス経由で前記データを通信することを含む、請求項２６記載の使用方法。
【請求項３０】
前記使用方法は更に、前記第１集積回路においてクロック信号を生成する第１クロック信号生成ステップを含み、
前記集積回路接続ステップは、前記クロック信号を前記第２集積回路に接続することを含み、その結果、前記ベースバンドモジュールと前記ＲＦ送受信機は前記クロック信号に基づき動作する、請求項２６記載の使用方法。
【請求項３１】
前記使用方法は更に、前記第１集積回路において供給電圧を生成する供給電圧生成ステップを含み、
前記集積回路接続ステップは、前記供給電圧を前記第２集積回路に接続することを含み、その結果、前記ベースバンドモジュールと前記ＲＦ送受信機は、前記供給電圧に基づき動作する、請求項２６記載の使用方法。
【請求項３２】
前記使用方法は更に、前記供給電圧に基づき前記第２集積回路に追加供給電圧を生成する追加供給電圧生成ステップを含む、請求項２６記載の使用方法。
【請求項３３】
前記使用方法は更に、前記第１集積回路をオフチップメモリ機器に接続するオフチップメモリ接続ステップを含む、請求項２６記載の使用方法。
【請求項３４】
前記使用方法は更に、前記第２集積回路においてクロック信号を生成する第２クロック信号生成ステップを含み、
前記集積回路接続ステップは、前記クロック信号を前記第１集積回路に接続することを含み、その結果、前記処理モジュールは前記クロック信号に基づき動作する、請求項２６記載の使用方法。
【請求項３５】
前記集積回路接続ステップは、パラレル通信パス経由で前記データを通信することを含む、請求項２６記載の使用方法。
【発明の詳細な説明】
【技術分野】
【０００１】
本開示は、無線送受信機とその応用に関する。
【背景技術】
【０００２】
良く知られているように、無線端末は、一般に、広域通信ネットワークにアクセスするために使用される。そのようなネットワーク例には、携帯電話、ＰＣＳ（Ｐｅｒｓｏｎａｌ  Ｃｏｍｍｕｎｉｃａｔｉｏｎ  Ｓｅｒｖｉｃｅｓ）、ＧＲＰＳ（Ｇｅｎｅｒａｌ  Ｒａｄｉｏ  Ｐａｃｋｅｔ  Ｓｅｒｖｉｃｅ）、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、およびｉＤＥＮ（Ｉｎｔｅｇｒａｔｅｄ  Ｄｉｇｉｔａｌ  Ｅｎｈａｎｃｅｄ  Ｎｅｔｗｏｒｋ）を操作する無線電話ネットワークが含まれる。これらのネットワークは、ブロードバンド・データ・ネットワークばかりでなく、基本電話サービス（ＰＯＴＳ）にもアクセスできる。ブロードバンド・データ・ネットワークは、第２世代、第２．５世代、および第３世代といった国際無線通信基準にしたがって、インターネットアクセスや、ストリーミングオーディオ、ストリーミングビデオ、テレビジョンサービスなどの拡張サービスを提供する。
【発明の概要】
【発明が解決しようとする課題】
【０００３】
集積回路は、大量の携帯端末の製造を可能にしてきたが、しかしながら、今日の電子世界で「通信回線に接続された」状態にするには、人々は、複数の携帯端末を所有する必要がある。例えば、携帯電話サービス用携帯電話、スケジューリングやアドレス帳など向けの個人情報端末（ＰＤＡ）、１つ以上の拡張メモリ機能用サムドライブ、デジタル的に記録された音楽の保存および／または再生用ＭＰＥＧオーディオ層３（ＭＰ３）プレーヤ、ラジオなどを所有する可能性がある。したがって、１つの携帯端末は比較的小さいかもしれないが、１人が複数の携帯端末を持ち運ぶことは、わずらわしいこととなる虞がある。
【課題を解決するための手段】
【０００４】
無線端末は、ブルートゥース基準にしたがって動作するブルートゥース送受信機のような近距離無線送受信機を含んでいてもよい。そのような送受信機は、無線端末が無線ヘッドセットのような他のブルートゥース互換端末に通信することを可能とする。これらのブルートゥース送受信機は、１つ以上の集積回路を使用して動作される。例としては、ブルートゥース・ホスト・コントローラ・インターフェイス（ＨＣＩ）チップやチップセット、Ｑｕａｌｃｏｍｍ社のＢｌｕｅＲＦチップセットなどが含まれる。これら既に存在する設計への更なる改善は可能であり、本発明の教示を見せられれば、これら先行技術の設計の欠点は、当業者にとっては明らかとなるであろう。
【図面の簡単な説明】
【０００５】
【図１】本発明の一実施形態にしたがう無線端末１５０の図。
【図２】本発明の一実施形態にしたがう無線端末１５０のブロック図。
【図３】本発明の一実施形態にしたがうホストインターフェイス１８のブロック図。
【図４】本発明の一実施形態にしたがう送受信機モジュール３０のブロック図。
【図５】本発明の一実施形態にしたがうメモリモジュール４０のブロック図。
【図６】本発明の一実施形態にしたがうマルチメディアモジュール６０ブロック図。
【図７】本発明の一実施形態にしたがうマルチメディアインターフェイス５２のブロック図。
【図８】本発明の一実施形態にしたがう電話通信インターフェイスのブロック図。
【図９】本発明の一実施形態にしたがう近距離無線送受信機２５０のブロック図。
【図１０】本発明の一実施形態にしたがうメモリモジュール２６２のブロック図。
【図１１】本発明の一実施形態にしたがう無線ヘッドセット１１４の図。
【図１２】本発明の一実施形態にしたがう無線ヘッドセット３０２の図。
【図１３】本発明の一実施形態にしたがう無線ヘッドセット３２５のブロック図。
【図１４】本発明の一実施形態にしたがう方法のフローチャート。
【図１５】本発明の一実施形態にしたがう方法のフローチャート。
【図１６】本発明の一実施形態にしたがう方法のフローチャート。
【図１７】本発明の一実施形態にしたがう方法のフローチャート。
【発明を実施するための形態】
【０００６】
図１は、本発明の一実施形態にしたがう無線端末を示している。具体的には無線端末１５０は、ＰＯＴＳネットワーク１０４とデータネットワーク１０６にそれぞれ動作可能に接続された長距離無線ネットワーク１００の全体にわたって通信する。無線端末１５０は更に、近距離無線ネットワーク１０２の全体にわたって、データネットワーク１０６に通信できる。本発明の一実施形態では、長距離無線ネットワーク１００には、携帯電話、ＰＣＳ、ＧＰＲＳ、ＧＳＭ、ｉＤＥＮあるいは電話呼出の送受信が可能である他の無線通信ネットワークのような無線電話ネットワークも含まれる。更に、データネットワーク１０６には、インターネットが含まれ、近距離無線ネットワーク１０２には、８０２．１１ｘ、ブルートゥース、超広帯域（ＵＷＢ）、Ｗｉｍａｘ、無線ＬＡＮ接続あるいは他の通信リンクのような無線通信リンクを通じて、無線端末１５０に通信するアクセスポイントが含まれる。このようなやり方で、無線端末１５０は、無線電話ネットワーク全体にわたって送信された通常の無線電話呼出および／またはデータネットワークの全体あるいは部分的にわたって送信されたＶｏＩＰ（Ｖｏｉｃｅ  ｏｖｅｒ  Ｉｎｔｅｒｎｅｔ  ｐｒｏｔｏｃｏｌ）のような電話呼出、ＥメールやＳＭＳ（ｓｈｏｒｔ  ｍｅｓｓａｇｅ  ｓｅｒｖｉｃｅ）メッセージ、ページといったテキストメッセージ、文書、オーディオファイル、ビデオファイル、画像、およびその他グラフィックといったマルチメディア添付ファイルを含みうる他のデータメッセージを認識し、受信できる。本発明の広義の範囲内では、無線端末には、携帯電話、携帯オーディオプレーヤ、携帯メディアプレーヤ、携帯ゲーム機やここで記述されたような近距離あるいは長距離無線送受信機と一体の他の機器も含まれうる。
【０００７】
無線端末１５０には、マイクロフォン１２２といった内部オーディオ入力機器や、スピーカ１１２といった内部オーディオ出力機器も含まれる。加えて、ヘッドフォン１１６は、ヘッドフォンジャック１１５を通じて任意に接続されてもよい。無線ヘッドセット１１４には更に、ＩｒＤＡのような赤外線リンクを使用する近距離無線通信リンクによって、あるいはブルートゥース基準にしたがう無線通信リンクによって無線端末１５０に接続されたオーディオ入力機器とオーディオ出力機器が含まれている。無線端末１５０には、キーパッド１１８と画像とテキストおよびソフトキーおよび／またはグラフィックス入力および／または手書認識と一体の追加タッチセンサインターフェイスを任意に提供するための表示デバイスが含まれている。
【０００８】
無線端末１５０には、スチルおよび／またはビデオ画像をキャプチャするためのカメラ機器１２４、追加メモリおよびリムーバブル・ストレージを提供するためのリムーバブルメモリカード、および情報を直接コンピュータといったホスト機器にアップロードとダウンロードするためのホストインターフェイスが任意に含まれている。
【０００９】
無線端末１５０の様々な特徴と機能は、続く図と併せて議論される。
図２は、本発明の一実施形態にしたがう無線端末１５０のブロック図である。具体的には無線端末１５０には、バス２８を通じて通信する処理モジュール２０とメモリモジュール４０が含まれる。本発明の一実施形態では、処理モジュール２０には、システムプログラム、アプリケーションプログラム、および他のルーチンといった一連の指示命令実行するためのプロセッサが含まれる。
【００１０】
処理モジュール２０のプロセッサは、専用あるいは共有されたマイクロプロセッサ、マイクロコントローラ、デジタル信号プロセッサ、マイクロコンピュータ、中央演算ユニット、ＦＰＧＡ（ｆｉｅｌｄ  ｐｒｏｇｒａｍｍａｂｌｅ  ｇａｔｅ  ａｒｒａｙ）、ＰＬＤ（ｐｒｏｇｒａｍｍａｂｌｅ  ｌｏｇｉｃ  ｄｅｖｉｃｅ）、ステートマシン、論理回路、アナログ回路、デジタル回路および／またはメモリに記憶された指示命令に基づき（アナログおよび／またはデジタル）信号を操作するいかなるデバイスを使って、実行されうる。処理モジュール２０がステートマシン、アナログ回路、デジタル回路、および／または論理回路を通じてその機能の１つ以上を実行する際、対応する指示命令を記憶するメモリは、ステートマシン、アナログ回路、デジタル回路および／または論理回路からなる電気回路内あるいは外部に組み込まれてもよいことを記しておく。更に、メモリモジュール４０は、ここで説明された少なくともいくつかのステップおよび／または機能に対応する指示命令を記憶し、処理モジュール２０は、その指示命令を実行する。
【００１１】
メモリモジュール４０は、単一のメモリ機器あるいは複数のメモリ機器でも良い。そのようなメモリ機器は、リードオンリメモリ（ＲＯＭ）、ランダムアクセスメモリ（ＲＡＭ）、揮発性メモリ、不揮発性メモリ、スタティックメモリ、ダイナミックメモリ、フラッシュメモリ、キャッシュメモリ、および／またはデジタル情報を記憶するいかなる機器でもよい。
【００１２】
加えて、無線端末１５０には、ホストインターフェイス１８、電話通信インターフェイスモジュール９０、送受信機モジュール３０、モード選択モジュール５０、マルチメディアモジュール６０、再生モジュール７０、ブラウザ８０が含まれている。電話通信インターフェイスモジュール９０は、任意の無線電話機能とテキストメッセージの読出し、選択、作成と呼出の送受信のためのユーザインターフェイスを提供する。送受信機モジュール３０は、１以上の送受信機を有する。モード選択モジュール５０は、１以上の動作モードにおいて無線端末１５０を認識する。マルチメディアモジュール６０は、入出力処理をする。再生モジュール７０は、オーディオ出力またはビデオ出力の少なくとも１つの処理をする。ブラウザ８０は、ユーザインターフェイスを提供する。ユーザインターフェイスは、インターネットアクセス、ストリーミングオーディオ、およびストリーミングビデオコンテンツにアクセスするための同様のコンテンツのためである。また、ユーザインターフェイスは、ダウンロードデータファイルのためであって、データファイルは、テキストファイル、プレゼンテーションファイル、コンピュータサービス（たとえば、インターネットアクセス、Ｅメールなど）を多様にするアクセスのためのユーザプロファイル情報、デジタルオーディオファイル（たとえば、ＭＰ３ファイル、ＷＭＡ−ウィンドウズ（登録商標）メディアアーキテクチャー、ＭＰ３プロ、Ｏｇｇ  Ｖｏｒｂｉｓ、ＡＡＣ−Ａｄｖａｎｃｅｄ  Ａｕｄｉｏ  Ｃｏｄｉｎｇ）、デジタルビデオファイル（たとえば、スチル画像あるいはＭＰＥＧ（ｍｏｔｉｏｎ  ｐｉｃｔｕｒｅ  ｅｘｐｅｒｔ  ｇｒｏｕｐ）といったモーションビデオ、ＪＰＥＧ（ｊｏｉｎｔ  ｐｈｏｔｏｇｒａｐｈｉｃ  ｅｘｐｅｒｔ  ｇｒｏｕｐ）ファイルなど）、アドレスブック情報、および／またはデジタル形式で記憶されうる他の情報形式であってもよい。本発明の一実施形態では、ブラウザ８０に、メモリモジュール４０に記憶され処理モジュール２０によって実行されるソフトウェアあるいはファームウェアの複数の指示命令が含まれ、その指示命令は、データネットワーク１０６にアクセスする無線端末１５０のユーザのためのグラフィカルユーザインターフェイス（ＧＵＩ）を提供する。
【００１３】
本発明の一実施形態では、メモリモジュール４０は、圧縮あるいは非圧縮オーディオファイル（たとえば、ＭＰ３、ＷＭＡ、ＡＡＣ）、歌、オーディオブック、オーディオクリップ、ビデオクリップ、ムービー、写真、テレビあるいは他のオーディオ、ビデオあるいはマルチメディアコンテンツといったプログラムコンテンツを含むデジタルビデオファイル（ＭＰＥＧ４、ＭＰＥＧ４パート１０、あるいはＶＣ１ファイル）を記憶する。再生モジュール７０は、アナログあるいはデジタル信号および／またはアナログあるいはデジタルビデオ信号を、内部スピーカ、外部スピーカ、あるいはヘッドフォン、ディスプレイ１２０用のプログラムコンテンツから生成することによって、デジタル形式ファイルを再生する。
【００１４】
これらのモジュールの各々は、ハードウェア、ファームウェア、ソフトウェアあるいはそれらの組み合わせにおいて実行されてもよいが、本発明の一実施形態では、送受信機モジュール３０には、図９と併せて非常に詳細に議論されるであろう近距離無線送受信機２５０が含まれている。特殊なバスアーキテクチャが図２に示されている一方で、様々なモジュール間での直接接続のようなさらなる接続性を有する代替バスアーキテクチャは、同様に可能であって、本発明の様々な実施例に含まれる特徴や機能を実行する。
【００１５】
図３は、本発明の一実施形態にしたがうホストインターフェイス１８のブロック図である。具体的には選択性のホストインターフェイス１８が含まれる際の無線端末の動作が、記述されている。無線端末１５０が、ホスト機器Ａあるいはホスト機器Ｂに動作可能に接続されている場合、ここでホスト機器Ａは、パーソナルコンピュータ、ワークステーション、サーバ（これらはホスト機器Ａによって代表されている）である。ホスト機器Ｂは、ラップトップコンピュータ、個人情報端末および／または多機能携帯端末とデータを送受信する他のいかなる機器でもよいが、モード選択モジュール５０は、ホスト接続モードにおいて集積回路１２を認識する。
【００１６】
無線端末１５０がホスト接続モードの際、ホストインターフェイス１８は、ホスト機器Ａあるいはホスト機器Ｂと無線端末１５０との間のデータ移送を促進する。たとえば、ホスト機器Ａあるいはホスト機器Ｂからの受信データは、まずホストインターフェイス１８経由で無線端末１５０によって受信される。ホスト機器Ａ，Ｂと無線端末１５０の間の接続形式に依存し、受信データは、特有の方式でフォーマットされる。たとえば、無線端末１５０がホスト機器Ａ，ＢにＵＳＢケーブルを通じて接続されている場合、受信データはＵＳＢ仕様によって規定された形式にしたがうであろう。ホストインターフェイス１８は、受信データ（たとえば、ＵＳＢフォーマット）の形式を、受信データの形式に対応するオーバーヘッドデータを除去し、残ったデータをデータワードとして記憶することによって、望ましい形式に変換する。データワードのサイズは、一般に、バス２８のバス幅とメモリ１６のワード線サイズ（すなわち、メモリ線中に記憶されたデータサイズ）に直接対応しているか、複数のバス２８のバス幅とメモリ１６のワード線サイズに対応している。処理モジュール２０の制御下では、データワードは、記憶用のメモリモジュール４０に提供される。このモードでは、無線端末１５０は、ホスト機器（たとえば、サムドライブのように）の拡張メモリとして機能する。ホスト接続モードを促進させるため、ホスト機器は、メモリがコンピュータの一部であるかのように、メモリモジュール４０からデータを読出してもよい。したがって、ホスト機器は、読出命令を無線端末１５０に提供し、読出命令はホストインターフェイス１８経由で受信される。ホストインターフェイス１８は、読出要求を一般的な形式に変換し、その要求を処理モジュール２０に提供する。処理モジュール２０は、読出要求を解釈し、メモリモジュール４０から要求されたデータの読出を調整する。読出されたデータは、ホストインターフェイス１８に提供され、ホストインターフェイス１８は、読出されたデータの形式を、無線端末１５０の一般的な形式から、無線端末とホスト機器の間の接続形式に変換する。ホストインターフェイス１８はそこで、形式化されたデータを、接続を通じて、ホスト機器に提供する。
【００１７】
ホスト機器と無線端末１５０の間の接続は、無線接続あるいは有線接続でもよい。たとえば、送受信機モジュール３０によって提供された無線接続は、ブルートゥース、ＩＥＥＥ  ８０２．１１ｘ、および／または他のいかなる無線ＬＡＮ（ローカルエリアネットワーク）プロトコル、ＩｒＤＡなどにしたがってもよい。有線接続は、イーサネット（登録商標）プロトコル、ファイアワイア（ＩＥＥＥ  １３９４）、ＵＳＢなどにしたがってもよい。特有の接続形式に依存して、ホストインターフェイス１８には、対応するエンコーダとデコーダが含まれる。たとえば、無線端末１５０がＵＳＢケーブル経由でホスト機器と接続されている場合、ホストインターフェイス１８には、ＵＳＢエンコーダとＵＳＢデコーダが含まれる。
【００１８】
６４メガバイト以上の記憶容量を有するメモリモジュール中に記憶されたデータは、テキストファイル、プレゼンテーションファイル、コンピュータサービス（たとえば、インターネットアクセス、電子メールなど）を多様にするアクセスのためのユーザプロファイル情報、デジタルオーディオファイル（たとえば、ＭＰ３ファイル、ＷＭＡ−ウィンドウズ（登録商標）メディアアーキテクチャー、ＭＰ３  ＰＲＯ、Ｏｇｇ  Ｖｏｒｂｉｓ、ＡＡＣ−Ａｄｖａｎｃｅｄ  Ａｕｄｉｏ  Ｃｏｄｉｎｇ）、デジタルビデオファイル（たとえば、スチル画像あるいはＭＰＥＧ（ｍｏｔｉｏｎ  ｐｉｃｔｕｒｅ  ｅｘｐｅｒｔ  ｇｒｏｕｐ）といったモーションビデオ、ＪＰＥＧ（ｊｏｉｎｔ  ｐｈｏｔｏｇｒａｐｈｉｃ  ｅｘｐｅｒｔ  ｇｒｏｕｐ）ファイルなど）、アドレスブック情報、および／またはデジタル形式で記憶されうる他の情報形式でありうることを、当業者は認識するであろう。
【００１９】
本発明の一実施形態では、無線端末１５０がホスト機器ＡあるいはＢに有線接続経由あるいは直接接続でつながっている場合、ホスト機器Ａ，Ｂは、無線端末バッテリが使われないよう、および／または更に無線端末１５０のバッテリを再充電しうるよう無線端末１５０に電源供給してもよい。無線端末１５０がホスト機器Ａ，Ｂから接続を外された場合、モード選択モジュール５０は、未接続状態を検出し、代替動作モード中の無線端末を認識する。
【００２０】
図４は、本発明の一実施形態にしたがう送受信機モジュール３０のブロック図を示す。本発明の一実施形態では、送受信機モジュール３０には、長距離送受信機４４、第１近距離送受信機４２、および第２近距離送受信機４６が含まれる。無線接続、無線ヘッドセット１１４、無線キーボードあるいはその他の機器と一緒にホストインターフェイス１８が実行される際に、長距離送受信機４４は、長距離無線ネットワーク１００へのアクセスを提供し、第１近距離送受信機４２は、近距離無線ネットワーク１０２へのアクセスを提供し、第２近距離送受信機４６は、ホスト機器Ａあるいはホスト機器Ｂのような無線周辺機器へのアクセスを提供する。
【００２１】
図５は、本発明の一実施形態にしたがうメモリモジュール４０のブロック図を示す。具体的には、メモリモジュール４０には、内部メモリ３４とリムーバブルメモリカード１１０にアクセスするためのメモリインターフェイス３２が含まれる。本発明の一実施形態では、リムーバブルメモリカード１１０には、コンパクトフラッシュ（登録商標）、スマートメディア、メモリスティック、セキュアデジタル（ＳＤ）カード、ｘＤカードあるいは他のメモリカード形式といった形式の不揮発性メモリが含まれてもよい。本発明の一実施形態では、リムーバブルメモリカード１１０は、テキストファイル、プレゼンテーションファイル、コンピュータサービス（たとえば、インターネットアクセス、電子メールなど）を多様にするアクセスのためのユーザプロファイル情報、デジタルオーディオファイル（たとえば、ＭＰ３ファイル、ＷＭＡ−ウィンドウズ（登録商標）メディアアーキテクチャー、ＭＰ３  ＰＲＯ、Ｏｇｇ  Ｖｏｒｂｉｓ、ＡＡＣ−Ａｄｖａｎｃｅｄ  Ａｕｄｉｏ  Ｃｏｄｉｎｇ）、デジタルビデオファイル（たとえば、スチル画像あるいはＭＰＥＧ（ｍｏｔｉｏｎ  ｐｉｃｔｕｒｅ  ｅｘｐｅｒｔ  ｇｒｏｕｐ）といったモーションビデオ、ＪＰＥＧ（ｊｏｉｎｔ  ｐｈｏｔｏｇｒａｐｈｉｃ  ｅｘｐｅｒｔ  ｇｒｏｕｐ）ファイルなど）、アドレスブック情報、および／またはデジタル形式で記憶されうる他の情報形式といったデータを記憶しうる。
【００２２】
図６は、本発明の一実施形態にしたがうマルチメディアモジュールのブロック図を示す。具体的にはマルチメディアモジュール６０には、ヘッドフォンジャック１１５、ヘッドフォン１１６、スピーカ１１２、ビデオおよび／またはテキストディスプレイ１２０、マイクロフォン１２２、キーパッド１１８およびカメラ機器１２４を含む様々な入出力機器経由で双方向にマルチメディア信号を提供するためのマルチメディアインターフェイス５２が含まれる。これらのマルチメディア信号５９は、各機器によって使用される特有の形式に依存するアナログ信号、離散的時間信号、あるいはデジタル信号でありうる。
【００２３】
図７は、本発明の一実施形態にしたがうマルチメディアインターフェイス５２のブロック図を示す。具体的には、マルチメディアインターフェイス５２は、デジタル／アナログ変換、アナログ／デジタル変換を提供し、マルチメディアモジュール６０の外部機器に送信される出力信号をフォーマットし、コーディング、圧縮、記憶、およびマルチメディアインターフェイス５２の様々なサブモジュールによっておよび無線端末１５０の他のモジュールによって更に処理するための入力信号を処理する。マルチメディアインターフェイス５２のサブモジュールには、任意に１以上の次に挙げる項目が含まれる：ボイス信号をデジタル化するためのボコーダ２００、ビデオ信号をデジタル化するためのビデオコーデック２０２、圧縮オーディオファイルを作成するためのオーディオコーデック２０４、２つ以上のオーディオストリームを調和させるためのミクシングモジュール２０６、圧縮ビデオファイルを作成するためのビデオコンプレッサ２０８、圧縮画像ファイルを作成するための画像コンプレッサ２１０、テキストデータを合成音声信号に変換するためのテキスト音声変換モジュール２１２、１人以上が話した命令のような音声コンテンツを認識するための音声認識モジュール２１４が含まれる。
【００２４】
処理モジュール２０の制御下での本発明の一実施形態では、マルチメディアモジュール６０は、メモリモジュール４０からマルチメディアデータを読出す。マルチメディアデータには、デジタルオーディオデータ、デジタルビデオデータおよびテキストデータのうち少なくとも１つが含まれている。再生モードでは、マルチメディアデータの読出しにおいて、マルチメディアモジュール６０は、データを出力データに変換する。たとえば、マルチメディアモジュール６０は、デジタルデータを、スピーカ経由あるいはヘッドフォンジャック経由で続いて聞こえるようにさせられるアナログ信号に変換してもよい。加えて、あるいは代替的には、マルチメディアモジュール６０は、デジタルビデオデータおよび／またはデジタルテキストデータを、ＲＧＢ（赤―緑―青）、ＹＵＶなどの表示用データにしてもよい。表示用データは、表示データディスプレイ１２０といったＬＣＤ（液晶ディスプレイ）モニタ、投射型ＣＲＴおよび／またはプラズマ型ディスプレイ上に表示される。
【００２５】
記憶モードでは、無線端末１５０は、入力機器１１８、１２２、１２４のうちの１つ経由で受信したデジタル情報を記憶しうる。たとえば、マイクロフォン１２２経由で受信した音声録音は、マルチメディアモジュール６０経由でデジタル化され、デジタル的にメモリモジュール４０に記憶されうる。同様に、ビデオ録画は、カメラ機器１２４（たとえばデジタルカメラ、カムコーダ、ＶＣＲ出力、ＤＶＤ出力など）経由でキャプチャされ、マルチメディアモジュール６０によって、メモリモジュール４０内にデジタルビデオデータとして記憶すべく処理されうる。更に、キーパッド１１８（これはキーボード、タッチスクリーン・インターフェイス、あるいはテキスト情報入力用の他の装置でもよい）は、メモリモジュール４０中にデジタルテキストデータとして記憶すべくテキストデータをマルチメディアモジュール６０に提供する。
【００２６】
ここで示された開示で当業者によって理解されるであろうように、マルチメディアモジュール６０は、図６と図７に示された構成よりも少なくてもよい。たとえばマルチメディアモジュール６０は、オーディオとビデオデータのいずれか一方のみを処理しても良い。更に、マルチメディアモジュール６０には、具体的に示された以上に、さらなるコーディングモジュール、デコーディングモジュール、フォーマットモジュール、暗号化モジュール、復号化モジュールおよび信号処理モジュールが含まれてもよい。加えて、マルチメディアモジュール６０は、明確に説明された入力に加えて、オーディオ入力およびビデオ入力と一緒に実行されうる。
【００２７】
図８は、本発明の一実施形態にしたがう電話通信インターフェイスモジュール９０のブロック図を示す。具体的には、電話通信インターフェイスモジュール９０には、ユーザにテキストメッセージを作成させるテキストメッセージジェネレータ９２、受信した１つ以上のテキストメッセージをユーザに選択させるテキストメッセージセレクタ９４が含まれる。本発明の一実施形態では、テキストメッセージインターフェイス９０には、受信フォルダ、送信メッセージフォルダ、下書きメッセージフォルダ、ゴミ箱フォルダ、およびアドレスフォルダが含まれ、これらのフォルダは、ユーザに受信、見直し、転送および受信したテキストメッセージへの返信、下書き、編集、宛先確認および送信されるテキストメッセージへファイルを添付させる。加えて、電話機能モジュール９６は、無線端末１５０に他の電話機能を提供する。この機能は、無線呼出および／またはＶｏＩＰ呼出の認識と受信、ボイスメールあるいはテキストメッセージ受信の表示、電話番号とスピードダイアルリスト記憶、呼出待機と発呼者のＩＤ表示、受信した呼出、認識された呼出および不在着信の情報記憶、着信音選択、呼出転送、保留呼出の認識、３ウェイあるいは会議呼出の初期化および他の電話通信機能の提供能力を含む。
【００２８】
図９は、本発明の一実施形態にしたがう近距離無線送受信機２５０のブロック図を示す。具体的には、第１近距離送受信機４２や第２近距離送受信機４６といった近距離無線送受信機２５０は、無線端末１５０といった機器から、無線通信中の外部機器に通信するために送信ＲＦ信号２７７に変換されるデータ２５２を受信できる。加えて、外部機器から受信したＲＦ信号としての受信ＲＦ信号２７６は、無線端末１５０あるいは他の機器に送信されるデータ２５３に変換される。第１集積回路２６５と第２集積回路２７５は、協力的に動作し、第１集積回路２６５と第２集積回路２７５の間で双方向にデータ通信するように接続される。本発明の一実施形態では、近距離無線送受信機２５０は、ブルートゥースＳＩＧ（Ｂｌｕｅｔｏｏｔｈ  ｓｐｅｃｉａｌ  ｉｎｔｅｒｅｓｔ  ｇｒｏｕｐ）によって公にされた１以上の仕様といったブルートゥース仕様にしたがって動作する。しかしながら、代替例では、８０２．１１プロトコル、ＵＷＢあるいはＷｉｍａｘプロトコルといった他の近距離無線プロトコルあるいは長距離無線プロトコルが使用されてもよい。
【００２９】
第１集積回路２６５には、データ２５２とデータ２５３を近距離無線送受信機２５０に双方向で接続するためのＩ／Ｏモジュール２６８、無線端末１５０といった機器、あるいは近距離無線送受信機２５０のホストとなる他の機器、あるいはさもなくば外部機器と受信ＲＦ信号２７６および送信ＲＦ信号２７７経由で通信するためのこの近距離無線送受信機２５０を使用する他の機器が含まれる。処理モジュール２６０とメモリモジュール２６２は、バス２６６経由で、Ｉ／Ｏモジュール２６８と、インターフェイスモジュールとしてのダイレクトメモリアクセスモジュール（ＤＭＡモジュール）２８０とにそれぞれ接続されている。特有のバスアーキテクチャが図２に示される一方で、様々なモジュール間の直接接続のようなさらなる接続性を有する代替バスアーキテクチャも同様に可能であり、本発明の様々な実施例中に含まれる特徴と機能を実行することができる。
【００３０】
動作中、メモリモジュール２６２は、短距離無線プロトコルの複数のプロトコル層を実行するための複数の指示命令を記憶する。処理モジュール２６０は、複数の指示命令を実行する。第１インターフェイスモジュール２６４は、第２集積回路２７５へのインターフェイスを提供する。本発明の一実施形態では、処理モジュール２６０は、マイクロプロセッサ、マイクロコントローラ、デジタル信号プロセッサあるいはメモリモジュール２６２に記憶されたソフトウェア命令あるいはファームウェア命令を実行する他のデジタルプロセッサといった汎用処理回路とともに実行される。
【００３１】
第２集積回路２７５にはＲＦ送受信機２７４が含まれる。ＲＦ送受信機２７４は、送信ＲＦ信号２７７を作成すべくベースバンドモジュール２７２からの第１ベースバンド信号を変調し、またベースバンドモジュール２７２に接続される第２ベースバンド信号を作成すべく受信ＲＦ信号２７６を復調する。ベースバンドモジュール２７２は、第２インターフェイスモジュール２７０経由で第１インターフェイスモジュール２６４から受信したデータ２８５に基づき第１ベースバンド信号を生成し、また第２ベースバンド信号に基づきデータ２８７を生成してこのデータ２８７を第２インターフェイスモジュール２７０経由で第１インターフェイスモジュール２６４に送信する。第２集積回路２７５は、任意に、第２無線通信リンクを実行するための第２ＲＦ送受信機２７４’を有し、そして他の無線通信リンクを実行するための追加送受信機を任意に有する。このようなやり方で近距離無線送受信機２５０は、周波数変調（ＦＭ）、ブルートゥース、Ｗｉｍａｘ、ＵＷＢ、８０２．１１などから選択した２つの別の通信リンクを、１つのチップセット中で実行できる。
【００３２】
上記で議論したように、近距離無線プロトコルには、ブルートゥースプロトコルや、ＨＣＩドライバ、論理リンク制御とアダプテーションプロトコル（Ｌ２ＣＡＰ）、リンクマネージャ（ＬＭ）、一般化されたｍｕｌｔｉ―ｔｒａｎｓｐｏｒｔ  ＯＢＥＸプロトコル（ｏｂｊｅｃｔ  ｅｘｃｈａｎｇｅ  ｐｒｏｔｏｃｏｌ）、オペレーティングシステム（ＯＳ）、シリアルポートエミュレーション（ＲＦＣＯＭＭ）、リアルタイムオペレーティングシステム（ＲＴＯＳ）、ＳＣＯ（ｓｙｎｃｒｏｎｏｕｓ  ｃｏｎｎｅｃｔｉｏｎ  ｏｒｉｅｎｔｅｄ）、サービス発見プロトコル（ＳＤＰ）、電話通信制御プロトコル仕様（ＴＣＳ）、あるいはブルートゥースプロトコル上位スタック層と、ブルートゥースプロトコル下位スタック層に分離されうる他のプロトコルのような複数プロトコル層が含まれる。ＨＣＩチップといったブルートゥースチップセットが、第１集積回路のプロセッサを使用して上位スタック層を実行し、第２集積回路のプロセッサを使用して下位スタック層を実行するというように２つの集積回路を使用する一方で、本発明は、第１集積回路２６５の処理モジュール２６０を使用して上位スタック層プロトコルと下位スタック層プロトコルの両方を実行する。加えて、ベースバンドモジュール２７２とＲＦ送受信機２７４は、ハードウェアステートマシン、プログラマブル論理アレイ、論理ゲートおよび／またはアナログ回路といった専用回路を使用して１つのチップ上で実行される。その専用回路は、処理モジュール２６０とは別に、リアルタイム集約型タスクを実行する。すべてのブルートゥースソフトウェアは、処理モジュール２６０上で動作するため、第２集積回路２７５上の専用プロセッサおよび／またはメモリモジュールは必要性がなく、ステートマシンといった限定された処理要求およびメモリ要求、他の専用プロセッサおよび１０キロバイト以下のオーダの小メモリの必要もない。
【００３３】
本発明の一実施形態では、第１インターフェイスモジュール２６４と第２インターフェイスモジュール２７０は、通信し、４本あるいは５本あるいは任意により多く、あるいはより少ないのデータ線を有している。そのデータ線は、データ２８５とデータ２８７を送受信するために第１集積回路２６５と第２集積回路２７５の間で、双方向パラレルあるいはシリアル通信パスを実行する。更に、第１インターフェイスモジュール２６４と第２インターフェイスモジュール２７０の一方あるいは両方には、汎用非同期送受信回路（ＵＡＲＴ）、４ビットセキュアデジタル入出力インターフェイス（ＳＤＩＯ）といった同期インターフェイスあるいは専用インターフェイスなどが含まれてもよい。加えて第１インターフェイスモジュール２６４と第２インターフェイスモジュール２７０は、２つのインターフェイスモジュールのうちの１つが第１インターフェイスモジュール２６４のようにマスタとして動作し、他のインターフェイスモジュールが第２インターフェイスモジュール２７０のようにスレーブとして動作するマスタ／スレーブモードで動作してもよい。また、第１インターフェイスモジュール２６４には、ダイレクトメモリアクセス構造（ＤＭＡ構造）を使用することによって第１集積回路２６５と第２集積回路２７５の間でデータ２８５とデータ２８７の移送を実行するダイレクトメモリアクセス（ＤＭＡ）モジュール２８０が含まれてもよい。自動ＤＭＡの使用は、処理モジュール２６０から、さらなる処理要求を移送し、解放する。
【００３４】
第１集積回路２６５には更に、外部バッテリあるいは他の外部ＤＣ電力源（図示せず）から、供給電圧２８６を含む１以上の供給電圧を生成するＤＣ−ＤＣコンバータ２８２が含まれる。加えて、第１集積回路２６５には発振器モジュール２８４が含まれ、発振器モジュール２８４は、外部水晶発振素子（図示せず）を使用し、クロック信号２８８を含む１以上のクロック信号を生成する。しかしながら、代替例では、第２集積回路２７５には、第１集積回路２６５にクロック信号２８８を供給する発振器モジュール２８４が含まれる。ＤＣ−ＤＣコンバータ２８２によって生成された供給電圧の少なくとも１つは、第１集積回路２６５の１以上のモジュールに電源供給するために使用される。加えて、発振器モジュール２８４によって生成された少なくとも１以上のクロック信号は、第１集積回路２６５と第２集積回路２７５の１以上のモジュールにタイミングを供給するために使用される。更に、第１集積回路２６５と第２集積回路２７５の間のインターフェイスには、供給電圧２８６とクロック信号２８８が含まれる。その供給電圧２８６とクロック信号２８８は、第２集積回路２７５の１以上のモジュールに電源とタイミングを供給するために使用される。特に、ベースバンドモジュール２７２とＲＦ送受信機２７４は、供給電圧２８６とクロック信号２８８に基づき動作しうる。さらなる実施例では、第２集積回路２７５は、ＤＣ−ＤＣコンバータ、電圧レギュレータあるいは他の電圧供給ジェネレータを使用して、供給電圧２８６から１以上の追加供給電圧を生成する。
【００３５】
図１０は、本発明の一実施形態にしたがう、メモリモジュール２６２のブロック図を示す。具体的には、メモリモジュール２６２には、メモリインターフェイス２９０が含まれる。メモリインターフェイス２９０は、汎用メモリモジュールといったモジュールである。メモリインターフェイス２９０は、第１集積回路上に位置する内部メモリ２９４といった複数のメモリ機器と、第１集積回路に接続されているが外部に位置するオフチップメモリ２９６とにそれぞれ接続されている。加えて、メモリインターフェイス２９０には、任意にメモリスティック、コンパクトフラッシュ（登録商標）カード等としてフォーマットされたオフチップフラッシュメモリカードといったリムーバブルメモリカード２９２とのさらなる接続が含まれる。本発明の一実施形態では、内部メモリとオフチップメモリは、スタティックＲＡＭ、ＤＲＡＭ、ＲＯＭ、フラッシュメモリあるいは他の形式のメモリあるいは記憶装置でもよい。
【００３６】
図１１は、本発明の一実施形態にしたがう無線ヘッドセット１１４を示す。具体的には、前述の説明で無線端末１５０の使用と併せて、近距離無線送受信機２５０を議論してきた一方で、この近距離無線送受信機２５０はまた、無線端末１５０やパーソナルコンピュータ３００といった他の機器からオーディオを受信するため、かつ集積されたマイクロフォンによって生成された音声信号をこれらの機器に送り返すために、無線ヘッドセット１１４といった他の機器中に合体しうる。
【００３７】
図１２は、本発明の一実施形態にしたがう無線ヘッドセット３０２を示す。具体的には、携帯オーディオ／ビデオプレーヤ８０あるいはホーム／カーステレオシステム３０４といった機器からオーディオを受信する、代替の無線ヘッドセット構成が示される。この無線ヘッドセット３０２は、マイクロフォンと音声バックチャネルを有していない。
【００３８】
無線ヘッドセット１１４と無線ヘッドセット３０２の実行に関するさらなる詳細は、続く図１３と併せて示される。
図１３は、本発明の一実施形態にしたがう無線ヘッドセット３２５のブロック図を示す。具体的には、無線ヘッドセット１１４あるいは無線ヘッドセット３０２といった無線ヘッドセット用の実行可能性を示す。
【００３９】
無線ヘッドセット３２５には、任意にマイクロフォン３２２と、ユーザからの音声に応答する第１オーディオデータを生成するマイクロフォンドライバ３１０とが含まれる。本発明の一実施形態では、マイクロフォン３２２が電源を必要とする場合に、マイクロフォンドライバ３１０は、任意に電力をマイクロフォン３２２に供給する。無線ヘッドセット３２５のユーザからの音声信号は、アナログ音声信号に変換される。このアナログボイス信号は、マイクロフォンドライバ３１０によって、パルス符号変調（ＰＣＭ）形式、圧縮オーディオ形式あるいは他のデジタル形式といったデジタルオーディオ形式のオーディオデータ３１２に、サンプリングおよびデジタル化される。
【００４０】
無線ヘッドセット３２５には、スピーカ３２０と、オーディオデータ３１６に応答してスピーカ３２０を駆動するスピーカドライバ３１４とが含まれる。動作中に、パルス符号変調（ＰＣＭ）形式、圧縮オーディオ形式あるいは他のデジタル形式といったデジタルオーディオ形式のオーディオデータ３１６は、スピーカドライバ３１４によってアナログ信号に変換される。加えて、スピーカドライバ３１４には、スピーカ３２０を駆動するのに十分な電力でアナログ出力信号を生成するパワーアンプが含まれる。単一のスピーカ３２０が示される一方、オーディオデータ３１６には、任意に左右ステレオオーディオチャネルといった複数のオーディオチャネルが含まれ、スピーカドライバ３１４は、２以上のアナログ出力信号を生成し、２以上のスピーカ３２０を駆動する。
【００４１】
近距離無線送受信機２５０は、スピーカドライバ３１４と任意のマイクロフォンドライバ３１０に接続され、リモート互換機器に接続可能である。近距離無線送受信機２５０は、オーディオデータ３１２をリモート互換機器に送信し、オーディオデータ３１６を受信ＲＦ信号２７６と送信ＲＦ信号２７７経由でリモート互換機器から受信する。
【００４２】
図１４は、本発明の一実施形態にしたがう方法のフローチャートを示す。具体的には、図１〜１３に関連して説明された１以上の機能と特徴と併せて、使用方法が示される。ステップＳ５００では、メモリモジュール２６２と処理モジュール２６０を有する第１集積回路２６５が提供される。メモリモジュール２６２は、ブルートゥースプロトコルの複数のプロトコル層を実行するための複数の指示命令を記憶し、処理モジュール２６０は、複数の指示命令を実行する。ステップＳ５１０では、第１集積回路２６５は、第２集積回路２７５に接続され、双方向に第１集積回路２６５と第２集積回路２７５の間で通信する。第２集積回路２７５は、ＲＦ送受信機２７４を有する。ＲＦ送受信機２７４は、送信ＲＦ信号２７７を作成すべく第１ベースバンド信号を変調し、また第２ベースバンド信号を作成すべく受信ＲＦ信号２７６を復調する。ベースバンドモジュール２７２は、第１集積回路２６５から受信したデータ２８５に基づき第１ベースバンド信号を生成し、また第１集積回路２６５に送信するデータ２８７を生成する。
【００４３】
本発明の一実施形態では、複数のプロトコル層には、ブルートゥースプロトコルの複数の上位スタック層と複数の下位スタック層が含まれる。加えて、ステップＳ５１０は、ダイレクトメモリアクセスモジュール２８０経由で第１集積回路２６５と第２集積回路２７５の間のデータ通信制御を有していてもよい。また、ステップＳ５１０は、シリアル通信パス経由でのデータ通信を有していてもよい。
【００４４】
図１５は、本発明の一実施形態にしたがう方法のフローチャートを示す。具体的には、図１４の方法と併せた使用方法が示される。ステップＳ５２０では、クロック信号２８８は、第１集積回路２６５において生成される。ステップＳ５１０は、クロック信号２８８を第２集積回路２７５に接続することを含み、ベースバンドモジュール２７２とＲＦ送受信機２７４は、クロック信号２８８に基づき動作する。
【００４５】
図１６は、本発明の一実施形態にしたがう方法のフローチャートを示す。具体的には、図１４の方法と併せた使用方法が示される。ステップＳ５３０では、供給電圧２８６は、第１集積回路２６５において生成される。ステップＳ５１０は、供給電圧２８６を第２集積回路２７５に接続することを含み、ベースバンドモジュール２７２とＲＦ送受信機２７４は、供給電圧２８６に基づき動作する。
【００４６】
図１７は、本発明の一実施形態にしたがう方法のフローチャートを示す。具体的には、図１４の方法と併せた使用方法が示される。ステップＳ５４０では、第１集積回路２６５は、オフチップメモリ機器に接続される。
【００４７】
上記の記述は、いくつかの異なる動作モードを有している一方、本質的にこれらのモードが同時に実行可能であれば、無線端末１５０は、同時に２以上のこれらのモードになりうる。
【００４８】
当業者が理解するであろうが、ここで使用されているかもしれない「実質的に」あるいは「おおよそ」という語句は、対応する語句及び／あるいは語句間の関連性が有する産業的許容範囲を意味する。そういった産業的許容範囲は、１パーセント未満から２０パーセントに及び、構成要素の値、集積回路の処理バラツキ、温度バラツキ、増減回数、および／または熱ノイズと一致しているが、限定されてはいない。そのような語句間の関連性は、数パーセントの違いから大きな違いまで及ぶ。当業者が更に理解するように、ここで使用されたかもしれない「接続された」という語句は、直接的な接続、他の構成部材、構成要素、回路あるいはモジュール経由の間接的な接続の意味を含んでいて、間接的な接続では、介在する構成部材、構成要素、回路、あるいはモジュールは、信号情報を修正しないが、電流レベル、電圧レベル、および／または電力レベルを調整してもよい。当業者が理解するであろうが、暗示された接続（すなわち、１つの構成要素が、暗示的に他の構成要素に接続された）は、「接続された」と同じ方法で２つの構成要素の間の直接的および間接的接続を含む。当業者が更に理解するように、ここで使用されたかもしれない「好ましく比較する」という語句は、２以上の構成要素、アイテム、信号等間の比較が、望ましい関係を提供することを意味している。たとえば、望まれる関係が、第１信号１が第２信号２よりも大きい場合だとすると、第１信号１の大きさが第２信号２の大きさよりも大きい場合、あるいは第２信号２の大きさが第１信号１の大きさよりも小さい場合に、好ましい比較は達成される。
【００４９】
好ましい実施例では、様々な回路構成要素は、０．３５ミクロンあるいはより小さなＣＭＯＳテクノロジを使って実行され、様々な回路構成要素には、機器、モジュール、サブモジュールおよびここで示された他の機能的構成要素を実行するチップ集積回路上の１以上のシステムが含まれてもよい。ただし、他のトランジスタ、ダイオード、抵抗論理、集積回路あるいは非集積回路を有する他の回路テクノロジは、本発明の広い範囲内で使用されてもよい。同様に、ここで記述された様々な実施例はまた、コンピュータプロセッサ上で動作するソフトウェアプログラムとして実行されうる。本発明のソフトウェアは、磁気ディスク、光ディスク、ＲＯＭあるいはＲＡＭといった具体的な記憶媒体上に記憶され、製品としても作成されうる。
【００５０】
このように、好ましい実施例を含むいくつかの無線端末を実行するための実施例だけでなく、ここで装置と方法が説明された。ここで説明された本発明の様々な実施例は、本発明を先行技術から区別する特徴を有する。
【００５１】
開示された発明は、多くの方法で修正されてもよいし、明確に設計され上述された好ましい形式の他の多くの実施例を推測してもよい。したがって、付加クレームによって、発明の本来の精神と発明の範囲に含まれるすべての修正を覆うよう意図されている。
【図１】
2010523020.tif 000003
【図２】
2010523020.tif 000004
【図３】
2010523020.tif 000005
【図４】
2010523020.tif 000006
【図５】
2010523020.tif 000007
【図６】
2010523020.tif 000008
【図７】
2010523020.tif 000009
【図８】
2010523020.tif 000010
【図９】
2010523020.tif 000011
【図１０】
2010523020.tif 000012
【図１１】
2010523020.tif 000013
【図１２】
2010523020.tif 000014
【図１３】
2010523020.tif 000015
【図１４】
2010523020.tif 000016
【図１５】
2010523020.tif 000017
【図１６】
2010523020.tif 000018
【図１７】
2010523020.tif 000019
【国際調査報告】
2010523020.tif 000020